(57)【要約】【課題】ゴミ、及び産業廃棄物として処理されているシュレッダ屑、及び飛び粉を利用した農業資材を創出することにより、生産コストの削減、環境に対する負荷の軽減に貢献すること。 【解決手段】 シュレッダ屑と飛び粉と水とを混ぜて練り込んでマット状に固形化させた農業資材を作る。前記にもみ殻を加え固形化させたものを表面に撥水剤を塗り、その後に表面に全体を網で包み込んだ農業資材を作る。鉢状に成型したシュレッダ屑を利用した農業資材を作る。【選択図】図１
2005237268.tif 000002
【特許請求の範囲】
【請求項１】
シュレッダ屑と飛び粉と水とを混ぜて練り込んで混練物を生成し、当該混練物をマット状に固形化したシュレッダ屑を利用した農業資材。
【請求項２】
シュレッダ屑と飛び粉と水とにもみ殻を加え混ぜて練り込んで混練物を生成し、当該混練物の表面に撥水剤を塗り、その後に表面全体を網で包み込んだシュレッダ屑を用いた農業資材。
【請求項３】
請求項１又は請求項２の混練物を鉢状に成形してなるシュレッダ屑を利用した農業資材。
【発明の詳細な説明】
【技術分野】
【０００１】
本発明は水稲育苗用マット及び水稲育苗用専用土、また、ロックウール等の代替・ポリポットの代替にも利用できるシュレッダ屑を利用した農業資材に関するものである。
【背景技術】
【０００２】
水稲の育苗には、育苗専用マット及び専用の土を使用するのが一般的である（例えば特許文献１参照、特許文献２及び非特許文献２参照）。水耕栽培にはロックウール等を使用していた（例えば非特許文献１参照、非特許文献３参照）。ポリポットは一般的にポリエチレンで構成されたものを使用している（例えば非特許文献４参照）。
【０００３】
しかし、水稲育苗時に使用する育苗マット及び専用の土は購入する必要があり、資材のコストが生じる。
【０００４】
また、水耕栽培用の培地にはロックウール等を使用していた。ロックウールは鉱物繊維で構成されているため、不燃性（例えば特許文献３参照）また、腐りにくいためその使用後の処分に課題があった。また、既製のロックウール資材等を購入しなければならないため生産コスト発生する。
【０００５】
また、ポリポットはポリエチレンで構成されたものを使用しているため、その使用後の処分時における環境への負荷が大きい。また、資材コストもかかる。
【特許文献１】特開平７−２５５２６８号公報
【特許文献２】特開２００２−１５３１３９号公報
【特許文献３】特開２０００−２９１１７５号公報
【非特許文献１】「農耕と園芸」誠文堂新光社  ２００３年１１月号（P６６〜P７１）
【非特許文献２】「作物栽培の基礎」農文協  栗原  浩他共著（P１２１〜１２７）
【非特許文献３】「野菜」実教出版  伊東  正著（P４０〜P４２）
【非特許文献４】「野菜」実教出版  伊東  正著（P５１）
【発明の開示】
【発明が解決しようとする課題】
【０００６】
解決しようとする問題点は、シュレッダ屑はゴミとして処理され、飛び粉も産業廃棄物として位置づけられているという点である。また、水稲育苗用マット及び水稲育苗用専用土、また、ポリポット及びロックウール等の資材経費の負担が大きい。
【０００７】
本発明の目的は、ゴミ及び産業廃棄物として処理されていたシュレッダ屑及び飛び粉を再利用して環境への負荷を最小限に止めることができ、かつ低コストで手に入れることができるシュレッダ屑を利用した農業資材を提供することにある。
【課題を解決するための手段】
【０００８】
請求項１の発明は、シュレッダ屑と飛び粉と水とを混ぜて練り込んで混練物を生成し、当該混練物をマット状に固形化したシュレッダ屑を利用した農業資材である。
【０００９】
請求項２の発明は、シュレッダ屑と飛び粉と水とにもみ殻を加え混ぜて練り込んで混練物を生成し、当該混練物の表面に撥水剤を塗り、その後に表面全体を網で包み込んだシュレッダ屑を用いた農業資材である。
【００１０】
請求項３の発明は、請求項１また請求項２の混練物を鉢状に成形してなるシュレッダ屑を利用した農業資材である。
【発明の効果】
【００１１】
本発明によれば、ゴミ及び産業廃棄物として処理されているシュレッダ屑及び飛び粉を再利用することにより、それらの最終処分時に起こる環境への負荷を最小限に止めることができる。また、原料がゴミ及び産業廃棄物のため資材コストも、従来の約１０分の１程度に軽減することができる。
【発明を実施するための最良の形態】
【００１２】
請求項１の発明に係るシュレッダ屑を利用した農業資材は、図１に示すように、シュレッダ屑と飛び粉と水とを混ぜて練り込んで混練物を生成し、当該混練物をマット状に固形化したシュレッダ屑を利用したものである。  
【００１３】
請求項２の発明に係るシュレッダ屑を利用した農業資材は、シュレッダ屑と飛び粉と水とにもみ殻を加え混ぜて練り込んで混練物を生成し、当該混練物の表面に撥水剤を塗り、その後に表面全体を網で包み込んだものである。
【００１４】
請求項３の発明に係るシュレッダ屑を利用した農業資材は、請求項１また請求項２の混練物を鉢状に成形してなるものである。
【００１５】
以下詳細に説明する。シュレッダ屑を１０００ｇに対して、飛び粉２００ｇ及び水３０００ｇの割合で混練するすることによりシュレッダ屑の成形化が可能となる。請求項２の資材はシュレッダー屑７００ｇ、もみ殻３００ｇ、飛び粉２００ｇ、水３０００ｇの割合で混練する。
【実施例１】
【００１６】
一般的に田植機を使用し水稲苗を水田に移植する。慣行の田植機は、植爪と呼ばれる部位で水稲苗を掻き取り、掻き取った苗を水田に植え込むという一連の動作を繰り返すことにより水田への移植作業を行う。請求項１のシュレッダ屑を飛び粉を用い成形したマット状の農業資材で育苗した苗が、通常の育苗専用マット及び専用土を利用した育苗した水稲苗と同様に一連の苗の掻き取り、植え付け作業が行われるかという課題が考えられた。  
【００１７】
そこで、請求項１に係る農業資材1Aを使った苗と従来の方法で育苗した苗で水田への移植作業の比較試験を試みた。試験はそれぞれ９４１株について、正常に植え付けられた株数、植損じの株数を調査した。その結果、請求項１に係る農業資材1Aを使って育苗した苗の植損じ株は１１、従来の方法で育苗した苗の植損じ株は２５であった。従って請求項１に係る農業資材1Aで育苗した苗は慣行の田植機での移植作業が可能であることが証明できた。
【００１８】
請求項２に係る農業資材では、もみ殻を加え混練することによりその資材全体に空気穴が生じ、根の蒸れ状態が解消され、通常の資材で栽培したものと同様な生育が得られる。
【００１９】
請求項３に係る農業資材では、鉢の原料はシュレッダ屑（パルプ）及びコンニャクであり、土にそのまま植えても環境への悪影響も生じない。
【図面の簡単な説明】
【００２０】
【図１】請求項１に係る農業資材を発明を説明するための図である。
【図２】請求項１に係る農業資材を説明するための斜視図である。
【図３】請求項２に係る農業資材を説明するための斜視図である。
【図４】請求項３に係る農業資材を説明するための斜視図である。
【符号の説明】
【００２１】
1A  マット状の農業資材
1B  網で包み込んだ農業資材
1C  鉢状の農業資材
２  網
【図１】
2005237268.tif 000003
【図２】
2005237268.tif 000004
【図３】
2005237268.tif 000005
【図４】
2005237268.tif 000006